(57)【要約】【課題】円筒式繊維製品の廃材処理装置の提供。【解決手段】この円筒式繊維製品の廃材処理装置は、第１運搬ローラーセット、推進ローラーセット、第２運搬ローラーセット、案内ユニット及びカッターを包含し、該推進ローラーセットは第１運搬ローラーセットの周囲に環状に設けられ、且つ推進ローラーセットは第１運搬ローラーセットより円筒式繊維製品を受け取り、推進ローラーセットが円筒式繊維製品を平穏に第２運搬ローラーセットに送り、第２運搬ローラーセットが円筒式繊維製品を異なる方向に運搬し、並びに円筒式繊維製品を案内ユニットに嵌合させ、カッターで案内ユニット上の円筒式繊維製品を切削し、円筒式繊維製品の円筒と繊維製品を分離し、並びに円筒及び繊維製品を回収再生する。【選択図】図３
2011157675.tif 000002
【特許請求の範囲】
【請求項１】
円筒式繊維製品の廃材処理装置において、
円筒式繊維製品の運搬を行う第１運搬ローラーセットと、
該第１運搬ローラーセットの周囲に環状に設けられて該第１運搬ローラーセットより円筒式繊維製品を受け取り、並びに円筒式繊維製品を推し進める推進ローラーセットと、
該推進ローラーセットの推し進めた円筒式繊維製品を受け取り、並びに円筒式繊維製品の運搬を行う第２運搬ローラーセットと、
案内ユニットであって、該第２運搬ローラーセットの側辺に設けられて、該第２運搬ローラーセットより円筒式繊維製品を受け取り、円筒式繊維製品が嵌合される上記案内ユニットと、
該案内ユニットの側辺に設けられて該案内ユニットに嵌合された円筒式繊維製品を切断するカッターと、
を包含することを特徴とする、円筒式繊維製品の廃材処理装置。
【請求項２】
請求項１記載の円筒式繊維製品の廃材処理装置において、該推進ローラーセットは少なくとも一つの押し棒及び少なくとも一つのチェーンを包含し、該チェーンにより該押し棒を駆動して該円筒式繊維製品を推し進めることを特徴とする、円筒式繊維製品の廃材処理装置。
【請求項３】
請求項１記載の円筒式繊維製品の廃材処理装置において、該第１運搬ローラーセットは第１方向に沿って該円筒式繊維製品の運搬を行ない、第２運搬ローラーセット第２方向に沿って該円筒式繊維製品の運搬を行ない、且つ該第１方向は該第２方向に対して略垂直であることを特徴とする、円筒式繊維製品の廃材処理装置。
【請求項４】
請求項１記載の円筒式繊維製品の廃材処理装置において、該円筒式繊維製品は円筒と繊維製品を包含し、且つ該繊維製品は該円筒外部に設置され、且つ該カッターが該円筒式繊維製品の繊維製品を切断し、該繊維製品を該円筒より分離させることを特徴とする、円筒式繊維製品の廃材処理装置。
【請求項５】
請求項４記載の円筒式繊維製品の廃材処理装置において、第１回収桶と第２回収桶を包含し、並びに該第１回収桶は該繊維製品を収集し、該第２回収桶は該円筒を収集し、該案内ユニットは下端が湾曲した棒体とされ、且つ該案内ユニットの下端は該第２回収桶の方向に湾曲することを特徴とする、円筒式繊維製品の廃材処理装置。
【請求項６】
請求項１記載の円筒式繊維製品の廃材処理装置において、Ｚ型運搬ローラーセットが該第１運搬ローラーセットに接続されて、該Ｚ型運搬ローラーセットが該円筒式繊維製品を該第１運搬ローラーセットに運搬することを特徴とする、円筒式繊維製品の廃材処理装置。
【請求項７】
請求項６記載の円筒式繊維製品の廃材処理装置において、運搬ローラーセットが該Ｚ型運搬ローラーセット及び該第１運搬ローラーセットの間に設置されて、該運搬ローラーセットが該Ｚ型運搬ローラーセットより該円筒式繊維製品を受け取り、さらに該円筒式繊維製品を該第１運搬ローラーセットに運搬することを特徴とする、円筒式繊維製品の廃材処理装置。
【請求項８】
請求項７記載の円筒式繊維製品の廃材処理装置において、該運搬ローラーセットは第１コンベヤベルト、第２コンベヤベルト、及び第３コンベヤベルトを包含し、該第１コンベヤベルトは該第２コンベヤベルトと該第３コンベヤベルトの間に設置され、該Ｚ型運搬ローラーセットに複数の載置ユニットが設置され、並びに該載置ユニットが該円筒式繊維製品を載置し、該載置ユニットは第１載置部と第２載置部を包含し、該第１載置部と該第２載置部の間の間隔は該第１コンベヤベルトの幅より大きいことを特徴とする、円筒式繊維製品の廃材処理装置。
【請求項９】
請求項６記載の円筒式繊維製品の廃材処理装置において、選別ユニットが該Ｚ型運搬ローラーセットの側辺に設置されて、該選別ユニットが該Ｚ型運搬ローラーセットの運搬した円筒式繊維製品に対してふるい分けを行うことを特徴とする、円筒式繊維製品の廃材処理装置。
【請求項１０】
請求項１記載の円筒式繊維製品の廃材処理装置において、該第２運搬ローラーセットが昇降式運搬ローラーセットとされ、並びに少なくとも一つのコンベヤベルトと少なくとも一つの載置シートを包含し、且つ該載置シートは該コンベヤベルト上に設置されて、該載置シートが該円筒式繊維製品を載置するのに用いられることを特徴とする、円筒式繊維製品の廃材処理装置。
【請求項１１】
請求項１記載の円筒式繊維製品の廃材処理装置において、該第１運搬ローラーセットに推進プラットフォームが接続され、該推進プラットフォームは該第１運搬ローラーセットより該円筒式繊維製品を受け取り、且つ該推進ローラーセットが該推進プラットフォーム上の円筒式繊維製品を推し進めることを特徴とする、円筒式繊維製品の廃材処理装置。
【発明の詳細な説明】
【技術分野】
【０００１】
本発明は一種の円筒式繊維製品の廃材処理装置に係り、特に、全自動方式で円筒式繊維製品の円筒及び繊維製品を分離し、並びに円筒と繊維製品を回収再利用する装置に関する。
【背景技術】
【０００２】
図１を参照されたい。図１は周知の円筒式繊維製品の廃材処理装置の構造表示図である。図示されるように、周知の円筒式繊維製品の廃材処理装置１０は、導管１１及び円形カッター１３を包含し、そのうち円形カッター１３は導管１１の側辺に設置され、並びに回転の方式により動作する。
【０００３】
円筒式繊維製品製造の過程で、まず長尺状円筒式繊維製品２を形成し、その後、長尺状円筒式繊維製品２を裁断し、適宜大きさの円筒式繊維製品２０を形成する。そのうち、長尺状円筒式繊維製品２は円筒２１と繊維製品２２を包含し、且つ繊維製品２２は円筒２１外部に巻き付けられている。
【０００４】
長尺状円筒式繊維製品２を裁断し円筒式繊維製品２０となす過程で、往々にしてヘッド材２３とテール材２５が発生し、そのうち、ヘッド材２３とテール材２５の長さはいずれも円筒式繊維製品２０の長さより小さく、これによりヘッド材２３とテール材２５は使用できず且つ販売もできず、図２に示されるとおりである。
【０００５】
材料のコストと環境保護を考慮し、一般に、メーカーは廃材処理装置１０を利用して長尺状円筒式繊維製品２を裁断後に発生するヘッド材２３とテール材２５を回収している。実際の応用時には、使用者は手動の方式で、ヘッド材２３及び又はテール材２５を導管１１に嵌合し、導管１１は地面に直立する方式で設置され、このため、導管１１に嵌合されたヘッド材２３及び又はテール材２５は重力の作用を受けて下に落ち、ヘッド材２３及び又はテール材２５が下降時に円形カッター１３に接触し、これにより円形カッター１３がヘッド材２３及び又はテール材２５に対して切断を行う。
【０００６】
繊維製品２２は円筒２１外部に巻き付けられているため、ヘッド材２３及び又はテール材２５が円形カッター１３を通過する時、円形カッター１３は繊維製品２２を切断して繊維製品２２を円筒２１より分離し、その後、円筒２１及び繊維製品２２を分離し、資源回収再利用のステップを完成する。
【０００７】
周知の廃材処理装置１０は円筒２１及び繊維製品２２を分離できるものの、使用過程で手動の方式によりヘッド材２３及び又はテール材２５を導管１１に嵌合しなければならず、このため回収効率の向上に不利であった。このほか、手動の方式でヘッド材２３及び又はテール材２５を導管１１に嵌合する過程で、うっかりして作業員が導管１１上の円形カッター１３に接触して怪我をする恐れがあった。
【発明の概要】
【発明が解決しようとする課題】
【０００８】
本発明の主要な目的は、一種の円筒式繊維製品の廃材処理装置を提供することにあり、それは、全自動の方式で円筒式繊維製品の円筒と繊維製品とを分離し、並びに円筒及び繊維製品に対して回収再利用し、これにより廃材回収の効率を高められるのみならず、操作過程での危険性を有効に低減することができるものとする。
【０００９】
本発明の次の目的は、一種の円筒式繊維製品の廃材処理装置を提供することにあり、それは推進ローラーセットを第１運搬ローラーセットの周囲に設け、並びに第１運搬ローラーセットで円筒式繊維製品の運搬を行ない、その後、さらに推進ローラーセットにより円筒式繊維製品の推進を行ない、円筒式繊維製品を安定して第２運搬ローラーセットに送ることができるものとする。
【００１０】
本発明の更なる目的は、一種の円筒式繊維製品の廃材処理装置を提供することにあり、それは、第２運搬ローラーセットの側辺に案内ユニットを設け、並びに第２運搬ローラーセットにより円筒式繊維製品が案内ユニット上に案内し、並びに後続のカッターによる円筒式繊維製品に対する切断の動作の実行に有利としたものとする。
【００１１】
本発明のまた一つの目的は、一種の円筒式繊維製品の廃材処理装置を提供することにあり、それは、Ｚ型運搬ローラーセット及び選別ユニットを包含し、そのうちＺ型運搬ローラーセットは円筒式繊維製品を受け取り及び送り出すのに用い、並びにＺ型運搬ローラーセットの側辺に設置した選別ユニットにより整然と配列されていない円筒式繊維製品を振るい落とし、これにより円筒式繊維製品をＺ型運搬ローラーセット上に整然と配列させるものとする。
【００１２】
本発明のまた一つの目的は、一種の円筒式繊維製品の廃材処理装置を提供することにあり、それは、案内ユニットの側辺に円形カッターを設置し、並びに円形カッターで案内ユニット上の円筒式繊維製品に対して切断を行ない、このほか、円形カッターの側辺に研磨具を設けて、該研磨具で円形カッターに対して研磨動作を行えるようにしたものとする。
【課題を解決するための手段】
【００１３】
以上の目的を達成するため、本発明は一種の円筒式繊維製品の廃材処理装置を提供し、それは、少なくとも一つの円筒式繊維製品の運搬を行う第１運搬ローラーセットと、該第１運搬ローラーセットの周囲に環状に設けられて該第１運搬ローラーセットより円筒式繊維製品を受け取り、並びに円筒式繊維製品を推し進める推進ローラーセットと、該推進ローラーセットの推し進めた円筒式繊維製品を受け取り、並びに円筒式繊維製品の運搬を行う第２運搬ローラーセットと、案内ユニットであって、該第２運搬ローラーセットの側辺に設けられて、該第２運搬ローラーセットより円筒式繊維製品を受け取り、円筒式繊維製品を該案内ユニットに嵌合させる上記案内ユニットと、該案内ユニットの側辺に設けられて該案内ユニットに嵌合された円筒式繊維製品を切断するカッターと、を包含することを特徴とする。
【００１４】
以上の目的を達成するため、本発明はある実施例において、該推進ローラーセットは少なくとも一つの押し棒及び少なくとも一つのチェーンを包含し、該チェーンにより該押し棒を駆動して該円筒式繊維製品を推し進めることを特徴とするものとする。
【００１５】
以上の目的を達成するため、本発明はある実施例において、該第１運搬ローラーセットは第１方向に沿って該円筒式繊維製品の運搬を行ない、第２運搬ローラーセット第２方向に沿って該円筒式繊維製品の運搬を行ない、且つ該第１方向は該第２方向に対して略垂直であることを特徴とする。
【００１６】
以上の目的を達成するため、本発明はある実施例において、該円筒式繊維製品は円筒と繊維製品を包含し、且つ該繊維製品は該円筒外部に設置され、且つ該カッターが該円筒式繊維製品の繊維製品を切断し、該繊維製品を該円筒より分離させることを特徴とする。
【００１７】
以上の目的を達成するため、本発明はある実施例において、第１回収桶と第２回収桶を包含し、並びに該第１回収桶は該繊維製品を収集し、該第２回収桶は該円筒を収集し、該案内ユニットは下端が湾曲した棒体とされ、且つ該案内ユニットの下端は該第２回収桶の方向に湾曲することを特徴とする。
【００１８】
以上の目的を達成するため、本発明はある実施例において、Ｚ型運搬ローラーセットが該第１運搬ローラーセットに接続されて、該Ｚ型運搬ローラーセットが該円筒式繊維製品を該第１運搬ローラーセットに運搬することを特徴とする。
【００１９】
以上の目的を達成するため、本発明はある実施例において、運搬ローラーセットが該Ｚ型運搬ローラーセット及び該第１運搬ローラーセットの間に設置されて、該運搬ローラーセットが該Ｚ型運搬ローラーセットより該円筒式繊維製品を受け取り、さらに該円筒式繊維製品を該第１運搬ローラーセットに運搬することを特徴とする。
【００２０】
以上の目的を達成するため、本発明はある実施例において、該運搬ローラーセットは第１コンベヤベルト、第２コンベヤベルト、及び第３コンベヤベルトを包含し、該第１コンベヤベルトは該第２コンベヤベルトと該第３コンベヤベルトの間に設置され、該Ｚ型運搬ローラーセットに複数の載置ユニットが設置され、並びに該載置ユニットが該円筒式繊維製品を載置し、該載置ユニットは第１載置部と第２載置部を包含し、該第１載置部と該第２載置部の間の間隔は該第１コンベヤベルトの幅より大きいことを特徴とする。
【００２１】
以上の目的を達成するため、本発明はある実施例において、選別ユニットが該Ｚ型運搬ローラーセットの側辺に設置されて、該選別ユニットが該Ｚ型運搬ローラーセットの運搬した円筒式繊維製品に対してふるい分けを行うことを特徴とする。
【００２２】
以上の目的を達成するため、本発明はある実施例において、該第２運搬ローラーセットが昇降式運搬ローラーセットとされ、並びに少なくとも一つのコンベヤベルトと少なくとも一つの載置シートを包含し、且つ該載置シートは該コンベヤベルト上に設置されて、該載置シートが該円筒式繊維製品を載置するのに用いられることを特徴とする。
【００２３】
以上の目的を達成するため、本発明はある実施例において、該第１運搬ローラーセットに推進プラットフォームが接続され、該推進プラットフォームは該第１運搬ローラーセットより該円筒式繊維製品を受け取り、且つ該推進ローラーセットが該推進プラットフォーム上の円筒式繊維製品を推し進めることを特徴とする。
【発明の効果】
【００２４】
本発明は、一種の円筒式繊維製品の廃材処理装置を提供しており、それは、全自動の方式で円筒式繊維製品の円筒と繊維製品とを分離し、並びに円筒及び繊維製品に対して回収再利用し、これにより廃材回収の効率を高められるのみならず、操作過程での危険性を有効に低減することができる。
【００２５】
本発明は、一種の円筒式繊維製品の廃材処理装置を提供しており、それは推進ローラーセットを第１運搬ローラーセットの周囲に設け、並びに第１運搬ローラーセットで円筒式繊維製品の運搬を行ない、その後、さらに推進ローラーセットにより円筒式繊維製品の推進を行ない、円筒式繊維製品を安定して第２運搬ローラーセットに送ることができる。
【００２６】
本発明はまた、一種の円筒式繊維製品の廃材処理装置を提供しており、それは、第２運搬ローラーセットの側辺に案内ユニットを設け、並びに第２運搬ローラーセットにより円筒式繊維製品が案内ユニット上に案内し、並びに後続のカッターによる円筒式繊維製品に対する切断の動作の実行に有利である。
【００２７】
本発明はまた、一種の円筒式繊維製品の廃材処理装置を提供しており、それは、Ｚ型運搬ローラーセット及び選別ユニットを包含し、そのうちＺ型運搬ローラーセットは円筒式繊維製品を受け取り及び送り出すのに用い、並びにＺ型運搬ローラーセットの側辺に設置した選別ユニットにより整然と配列されていない円筒式繊維製品を振るい落とし、これにより円筒式繊維製品をＺ型運搬ローラーセット上に整然と配列させる。
【００２８】
本発明はまた、一種の円筒式繊維製品の廃材処理装置を提供しており、それは、案内ユニットの側辺に円形カッターを設置し、並びに円形カッターで案内ユニット上の円筒式繊維製品に対して切断を行ない、このほか、円形カッターの側辺に研磨具を設けて、該研磨具で円形カッターに対して研磨動作を行える。
【図面の簡単な説明】
【００２９】
【図１】周知の円筒式繊維製品の廃材処理装置の構造表示図である。
【図２】周知の長尺状円筒式繊維製品の構造表示図である。
【図３】本発明の円筒式繊維製品の廃材処理装置の実施例の構造表示図である。
【図３Ａ】本発明の廃材処理装置の部分構造の拡大平面図である。
【図４】本発明の円筒式繊維製品の廃材処理装置の別の実施例の構造表示図である。
【図５】本発明の円筒式繊維製品の廃材処理装置のさらに別の実施例の構造表示図である。
【図５Ａ】本発明の廃材処理装置の部分構造の拡大平面図である。
【発明を実施するための形態】
【００３０】
図３を参照されたい。図３は本発明の円筒式繊維製品の廃材処理装置の実施例の構造表示図である。図示されるように、円筒式繊維製品の廃材処理装置３０は、第１運搬ローラーセット３１、推進ローラーセット３３、第２運搬ローラーセット３５、案内ユニット３７及びカッター３９を包含する。廃材処理装置３０の使用により、全自動の方式で回収予定の円筒式繊維製品３２を分類回収し、並びに分類回収の効率と安全性を高めることができる。
【００３１】
周知の技術の図２に示されるように、一般に円筒式繊維製品２０を生産する過程で、往々にしてヘッド材２３及び又はテール材２５が発生し、ヘッド材２３及び又はテール材２５の長さは円筒式繊維製品３２の長さより短く、このためヘッド材２３及び又はテール材２５は使用に不利で且つ販売することができない。材料コストを減らし及び環境保護を考慮して、一般にメーカーはヘッド材２３及び又はテール材２５を回収する。
【００３２】
第１運搬ローラーセット３１は少なくとも一つの円筒式繊維製品３２、例えば円筒式繊維製品３２のヘッド材２３及び又はテール材２５の運搬を行う。本実施例では、第１運搬ローラーセット３１は複数のローラー３１１と少なくとも一つのコンベヤベルト３１３を包含し、並びにコンベヤベルト３１３はローラー３１１に繞設され、これによりローラー３１１が回転する時に、コンベヤベルト３１３が駆動され、並びにコンベヤベルト３１３により回収予定の円筒式繊維製品３２のヘッド材２３及び又はテール材２５が運搬される。
【００３３】
推進ローラーセット３３は第１運搬ローラーセット３１の周囲に環状に設けられ、第１運搬ローラーセット３１から円筒式繊維製品３２を受け取り、並び推進の方式で円筒式繊維製品３２を運搬する。例えば、推進ローラーセット３３は少なくとも一つのチェーン３３１及び少なくとも一つの押し棒３３３を包含し、そのうち、押し棒３３３はチェーン３３１上に設けられ、チェーン３３１は複数のローラー３３５に嵌合され、ローラー３３５が回転する時、チェーン３３１を駆動し、チェーン３３１が押し棒３３３を駆動し、並びに押し棒３３３で円筒式繊維製品３２を推し進める。
【００３４】
本実施例では、廃材処理装置３０は推進プラットフォーム３４を包含し、該推進プラットフォーム３４は第１運搬ローラーセット３１に接続され、並びに円筒式繊維製品３２が第１運搬ローラーセット３１より推進プラットフォーム３４に送られる。円筒式繊維製品３２が推進プラットフォーム３４に送られた後、続いて推進ローラーセット３３が推進プラットフォーム３４上の円筒式繊維製品３２に対して推し進めることを実行し、これは図３Ａに示されるとおりである。
【００３５】
第２運搬ローラーセット３５は推進ローラーセット３３の側辺に設置され、並びに推進ローラーセット３３が推し進める円筒式繊維製品３２を受け取り、そのうち、推進ローラーセット３３は押し棒３３３により円筒式繊維製品３２を第２運搬ローラーセット３５に送り、これにより押し棒３３３の円筒式繊維製品３２に作用する時間が延長されて、円筒式繊維製品３２が安定して第２運搬ローラーセット３５に送られる。
【００３６】
第２運搬ローラーセット３５は少なくとも一つのコンベヤベルト３５１と少なくとも一つの載置シート３５３を包含し、そのうちコンベヤベルト３５１は複数のローラー３５５に繞設され、載置シート３５３はコンベヤベルト３５１上に設置される。実際の応用時には推進ローラーセット３３は円筒式繊維製品３２を載置シート３５３上に推し進め、並びに載置シート３５３が円筒式繊維製品３２を載置する。ローラー３５５が回転する時にコンベヤベルト３５１が駆動されて、コンベヤベルト３５１が載置シート３５３を駆動し、並びに載置シート３５３上に置かれた円筒式繊維製品３２を移動させる。
【００３７】
本発明のある実施例において、第１運搬ローラーセット３１及び推進ローラーセット３３は第１方向Ｘに沿って円筒式繊維製品３２の運搬を行ない、第２運搬ローラーセット３５は昇降式運搬ローラーセットとされ得て、並びに第２方向Ｙに沿って円筒式繊維製品３２の運搬を行い得る。且つ第１方向Ｘは第２方向Ｙに対して略垂直である。例えば第１方向Ｘが水平方向であれば、第２方向Ｙは鉛直方向とされ得る。
【００３８】
案内ユニット３７は第２運搬ローラーセット３５の側辺に設置され、並びに第２運搬ローラーセット３５より円筒式繊維製品３２を受け取るのに用いられ、例えば、案内ユニット３７は載置シート３５３に挿通され、載置シート３５３上に放置された円筒式繊維製品３２が案内ユニット３７に嵌合される。本発明のある実施例中、案内ユニット３７は鉛直方式で設置され得て、すなわち、案内ユニット３７上の円筒式繊維製品３２は重力作用を受けて自然に下向きに滑り落ちる。
【００３９】
カッター３９は案内ユニット３７の側辺に設置され、これにより、円筒式繊維製品３２が案内ユニット３７に沿って下向きに落ちる時、カッター３９と接触し、並びにカッター３９により円筒式繊維製品３２が切断される。円筒式繊維製品３２は円筒３２１と繊維製品３２３を包含し、そのうち、繊維製品３２３は円筒３２１の外部に巻かれ、円筒式繊維製品３２がカッター３９を通過する時、カッター３９は円筒式繊維製品３２に対して切断を行ない、並びに繊維製品３２３を円筒３２１より脱落させる。
【００４０】
廃材処理装置３０は第１回収桶３８１と第２回収桶３８３を包含し得る。そのうち、第１回収桶３８１及び第２回収桶３８３はいずれも案内ユニット３７の下方に設置され、並びに繊維製品３２３を第１回収桶３８１に収集し、円筒３２１を第２回収桶３８３に収集し、分類回収の動作を完成する。本発明のある実施例中、案内ユニット３７は下端が湾曲する棒体とされ、例えば案内ユニット３７の下端は第２回収桶３８３の方向に湾曲し、円筒式繊維製品３２がカッター３９を通過した後、繊維製品３２３が円筒３２１より分離し並びに第１回収桶３８１に落下し、円筒３２１は案内ユニット３７に沿って移動して第２回収桶３８３に落下する。
【００４１】
また、本発明の別の実施例では、カッター３９は円形カッターとされ、並びに回転の方式で円筒式繊維製品３２の繊維製品３２３に対して切断を行う。このほか、カッター３９の側辺に研磨具３９１を増設してもよく、該研磨具３９１はカッター３９に対して移動可能で、例えば研磨具３９１がカッター３９の方向に接近し並びにカッター３９と接触させられ、これによりカッター３９回転時に研磨具３９１によりカッター３９に対する研磨を行え、カッター３９のエッジをシャープに維持できる。
【００４２】
図４を参照されたい。図４は本発明の円筒式繊維製品の廃材処理装置のもう一つの実施例の構造表示図である。図示されるように、本発明の実施例の円筒式繊維製品の廃材処理装置４は、Ｚ型運搬ローラーセット４０と廃材処理装置３０を包含する。そのうち、Ｚ型運搬ローラーセット４０は廃材処理装置３０の第１運搬ローラーセット３１に接続され、並びに円筒式繊維製品３２を第１運搬ローラーセット３１に伝送する。
【００４３】
Ｚ型運搬ローラーセット４０は複数のローラー４１と少なくとも一つのコンベヤベルト４３を包含し、並びにローラー４１の回転によりコンベヤベルト４３を駆動する。コンベヤベルト４３上には複数の載置ユニット４３１が設けられ、並びに載置ユニット４３１が円筒式繊維製品３２を載置する。このほか、Ｚ型運搬ローラーセット４０の異なるエリアに第１運搬エリア４２と第２運搬ローラーエリア４４が画定され、例えば第１運搬エリア４２は水平の方向の運搬を行うことができ、第２運搬ローラーエリア４４は傾斜方式に設置されて、並びに斜め上方に円筒式繊維製品３２の運搬を行うものとされる。
【００４４】
使用時に円筒式繊維製品３２（例えばヘッド材２３及び又はテール材２５）が任意に第１運搬エリア４２に放置され、第１運搬エリア４２上に位置する円筒式繊維製品３２はいずれもコンベヤベルト４３により駆動される。円筒式繊維製品３２が第２運搬ローラーエリア４４に運搬された後、第２運搬ローラーエリア４４が傾斜方式で設置されているため、載置ユニット４３１上に未放置の円筒式繊維製品３２は重力の作用を受けて滑り落ち、並びに第１運搬エリア４２に回収される。言い換えると、載置ユニット４３１上に載置された円筒式繊維製品３２のみが廃材処理装置３０まで運搬される。上述のステップにより全自動の方式で円筒式繊維製品３２の配列が行え、並びに順に円筒式繊維製品３２が廃材処理装置３０に運搬される。
【００４５】
本発明の別の実施例では、Ｚ型運搬ローラーセット４０の側辺に選別ユニット４５が増設され、並びに選別ユニット４５によりＺ型運搬ローラーセット４０が運搬した円筒式繊維製品３２に対して選別を行ない、これにより、整然と配列されていない円筒式繊維製品３２が第２運搬ローラーエリア４４より振るい落とされる。例えば選別ユニット４５は持続回転するブラシローラーとされ、回転の方式で整然と配列されていない円筒式繊維製品３２を第２運搬ローラーエリア４４より第１運搬エリア４２へと掃き落とす。
【００４６】
図５を参照されたい。図５は本発明の円筒式繊維製品の廃材処理装置のまた別の実施例の構造表示図である。図示されるように、本発明の実施例の円筒式繊維製品の廃材処理装置５はＺ型運搬ローラーセット４０、廃材処理装置３０及び運搬ローラーセット５０を包含する。そのうち、運搬ローラーセット５０はＺ型運搬ローラーセット４０と廃材処理装置３０の第１運搬ローラーセット３１の間に設置され、並びにＺ型運搬ローラーセット４０より円筒式繊維製品３２を受け取り、その後、円筒式繊維製品３２を第１運搬ローラーセット３１に送る。
【００４７】
運搬ローラーセット５０は複数のローラー５１と少なくとも一つのコンベヤベルト５３を包含し、そのうち、ローラー５１の回転時にコンベヤベルト５３を駆動し、並びにコンベヤベルト５３により円筒式繊維製品３２の運搬を行うことができる。本発明のある実施例ではコンベヤベルトの数量は複数とされ得て、例えば第１コンベヤベルト５３１、第２コンベヤベルト５３３、及び第３コンベヤベルト５３５を包含し、そのうち、第１コンベヤベルト５３１は第２コンベヤベルト５３３と第３コンベヤベルト５３５の間に設置され、且つ第２コンベヤベルト５３３及び第３コンベヤベルト５３５より突出し、これにより第１コンベヤベルト５３１がＺ型運搬ローラーセット４０より円筒式繊維製品３２を受け取ることができる。
【００４８】
載置ユニット４３１は第１載置部４３１１と第２載置部４３１３を包含し、且つ第１コンベヤベルト５３１の幅Ｗは第１載置部４３１１及び第２載置部４３１３の間の間距Ｌより小さく、これにより円筒式繊維製品３２を運搬する過程で、Ｚ型運搬ローラーセット４０の載置ユニット４３１と運搬ローラーセット５０が接触する状況が防止され、これは図５Ａに示されるとおりである。
【００４９】
以上に述べたことは、本発明の好ましい実施例に過ぎず、本発明の実施の範囲を限定するためのものではなく、本発明の特許請求の範囲に記載の形状、構造、特徴及び精神に基づきなし得る同等の変化と修飾は、いずれも本発明の特許請求の範囲内に包含されると見なされるべきである。
【符号の説明】
【００５０】
１０  廃材処理装置                １１  導管
１３  円形カッター
２  長尺状円筒式繊維製品          ２０  円筒式繊維製品
２１  円筒                        ２２  繊維製品
２３  ヘッド材                    ２５  テール材
３０  廃材処理装置                ３１  第１運搬ローラーセット
３１１  ローラー                    ３１３  コンベヤベルト
３２  円筒式繊維製品              ３２１  円筒
３２３  繊維製品                  ３３  推進ローラーセット
３３１  チェーン                  ３３３  押し棒
３３５  ローラー                    ３４  推進プラットフォーム
３５  第２運搬ローラーセット            ３５１  コンベヤベルト
３５３  載置シート                ３５５  ローラー
３７  案内ユニット                ３８１  第１回収桶
３８３  第２回収桶                ３９  カッター
３９１  研磨具
４  廃材処理装置                  ４０  Ｚ型運搬ローラーセット
４１  ローラー                      ４２  第１運搬エリア
４３  コンベヤベルト              ４３１  載置ユニット
４３１１  第１載置部              ４３１３  第２載置部
４４  第２運搬ローラーエリア            ４５  選別ユニット
５  廃材処理装置                  ５０  運搬ローラーセット
５１  ローラー                      ５３  コンベヤベルト
５３１  第１コンベヤベルト        ５３３  第２コンベヤベルト
５３５  第３コンベヤベルト
【図１】
2011157675.tif 000003
【図２】
2011157675.tif 000004
【図３】
2011157675.tif 000005
【図３Ａ】
2011157675.tif 000006
【図４】
2011157675.tif 000007
【図５】
2011157675.tif 000008
【図５Ａ】
2011157675.tif 000009